(57)【要約】【課題】  現像剤を授受する排出口や補給口に設けられたシャッタ部材間に弾性シール部材を設けず、かつ開口時には互いのシャッタ間からの現像剤漏れを抑えるシャッタ機構、並びにこれを用いる画像形成装置を提供する。【解決手段】  現像剤を授受するための開口部を有し、互いに相対移動する２つの部材の表面に設けたスライド移動可能なシャッタ部材であって、一方が装置本体に未装着で開口部が連通しない状態では、シャッタ部材が開口部を閉じるように付勢する弾性部材の付勢力により、開口部を塞いで現像剤の漏れを抑え、装着位置へ移動するとシャッタ同士が互いに押し合って、前記弾性部材の付勢力に抗してスライド移動し、開口部が連通して現像剤を授受可能とするシャッタ機構において、各々の遮蔽部材の当接面に異なる勾配を設け、勾配の大きい方の遮蔽部材の当接面裏側に柔軟部材を備える。【選択図】  図８
2010237259.tif 000002
【特許請求の範囲】
【請求項１】
トナーを排出可能な排出口を備え、該排出口からトナーを排出可能な第１容器と、
前記第１容器から排出されたトナーを受け入れ可能な受入口を有する第２容器と、
前記排出口を開閉可能な第１シャッタ部材と、
前記受入口を開閉可能な第２シャッタ部材と、
前記第１シャッタ部材と前記第２シャッタ部材のうち少なくとも一方に、前記第１シャッタ部材と前記第２シャッタ部材が互いに対向する対向面とは逆側の面に接触して配置された弾性部材と、
前記第１シャッタ部材と前記第２シャッタ部材は、少なくとも一方が他方に当接することにより開閉可能に構成され、一方が他方に当接することにより前記弾性部材が変形することで前記第１シャッタ部材と前記第２シャッタ部材の対向面が互いに倣うように前記第１シャッタ部材と前記第２シャッタ部材を移動可能に支持する支持手段と、を有することを特徴とする画像形成装置。
【請求項２】
前記第１シャッタ部材と前記第２シャッタ部材が対向する対向面は、シャッタの開閉方向に対して傾斜していることを特徴とする、請求項１に記載の画像形成装置。
【請求項３】
前記第１シャッタ部材と前記第２シャッタ部材が対向する対向面は、互いに異なる勾配となるように支持されており、前記支持手段は、前記第１シャッタ部材と前記第２シャッタ部材が互いに当接することで、前記第１シャッタ部材と前記第２シャッタ部材が対向する対向面の勾配が倣うように前記第１シャッタ部材もしくは前記第２シャッタ部材が移動可能に支持されていることを特徴とする、請求項１または２に記載の画像形成装置。
【請求項４】
像担持体に形成された潜像を現像する現像装置を有し、前記第２容器は、前記現像装置内のトナーを収納する現像容器であることを特徴とする請求項１乃至３いずれかに記載の画像形成装置。
【発明の詳細な説明】
【技術分野】
【０００１】
本発明は、プリンタ、複写機、ファクシミリ等の画像形成装置に用いられる現像剤を、２つの部材間で受渡す現像剤排出口および受入口に設け、現像剤排出口および受入口から現像剤漏れを抑えるシャッタ機構を有する画像形成装置に関する。
【背景技術】
【０００２】
現像剤補給容器を画像形成装置に着脱可能に結合して現像剤ホッパー内に現像剤を供給する現像剤補給装置は、例えば、電子写真方式のプリンタや複写機、ファクシミリなどの画像生成装置に用いられている。電子写真方式の画像生成装置では、レーザビームで感光ドラム上に潜像を描画し、その潜像をトナーで現像するようにしており、その現像器には、感光ドラムの表面に吸着させるトナーを貯溜及び供給するための現像剤ホッパーが設けられている。
【０００３】
一般に画像形成装置では、現像ローラや現像剤を含む現像器のほか、クリーニングブレード、感光ドラム等の消耗部材を有する部分に関しては、プロセスカートリッジとして一体に形成され、装置本体から着脱可能な構成とするのが一般的である。また、現像剤を収容するトナー容器をプロセスカートリッジと分割し、トナーカートリッジとして装置本体から個別に着脱可能な構成が知られている。この場合、装置本体に固定された現像剤ホッパーを備える画像形成装置では、トナーカートリッジやプロセスカートリッジ、或いは現像器との現像剤供給口にシャッタ機構を設ける構成がある。こうして、未装着時には各々のシャッタを閉じてのトナー飛散を防止し、装着時にはシャッタを開いてトナー供給経路を連通させる。
【０００４】
このような着脱に伴って開閉するシャッタ機構では、挿脱方向にスライド移動するシャッタを設け、カートリッジ等が装着位置へ移動することによって、その一部がシャッタ部材に接触して押し開くものが知られている（特許文献１）。
【０００５】
この構成では、シャッタ部材間からトナーが飛散してしまう問題がある。そこで、シャッター連通時において、シャッター部材間からトナー飛散を防止する手段としては、互いに圧接する２つの部材間で圧縮されて自在に変形する弾性部材を挟み、隙間を埋める方法が知られている（特許文献２）。
【先行技術文献】
【特許文献】
【０００６】
【特許文献１】特開２００７−１２７９３７
【特許文献２】特開平１１−２１２３４９
【発明の概要】
【発明が解決しようとする課題】
【０００７】
しかし、互いに相対移動することで開閉するシャッタ間にこのような弾性部材を設けた場合、以下のような問題があった。即ち、弾性部材は高さ方向で圧縮して密着性を高める構成であるが、シャッターが開閉動作のたびにシャッタが弾性部材に突き当たり、弾性部材を端部からめくってしまう問題がある。このため、密封性が低下してしまうという不具合がある。
【０００８】
本発明は以上の背景に鑑みてなされたものであり、その目的は現像剤を授受する排出口と受入口のそれぞれに設けられたシャッタ部材が互いに当接する面に弾性シール部材を設けなくても、開口時にシャッタ間からの現像剤漏れを抑制可能な画像形成装置を提供することである。
【０００９】
また、本発明の目的は、現像剤を授受する排出口や補給口に設けられたシャッタ部材間に前述のような弾性シール部材を設けても、弾性シール部材の磨耗を抑制可能な画像形成装置を提供することである。
【課題を解決するための手段】
【００１０】
上記課題を解決する達成する為に、本発明は、トナーを排出可能な排出口を備え、該排出口からトナーを排出可能な第１容器と、
前記第１容器から排出されたトナーを受け入れ可能な受入口を有する第２容器と、
前記排出口を開閉可能な第１シャッタ部材と、
前記受入口を開閉可能な第２シャッタ部材と、
前記第１シャッタ部材と前記第２シャッタ部材のうち少なくとも一方に、前記第１シャッタ部材と前記第２シャッタ部材が互いに対向する対向面とは逆側の面に接触して配置された弾性部材と、
前記第１シャッタ部材と前記第２シャッタ部材は、少なくとも一方が他方に当接することにより開閉可能に構成され、一方が他方に当接することにより前記弾性部材が変形することで前記第１シャッタ部材と前記第２シャッタ部材の対向面が互いに倣うように前記第１シャッタ部材と前記第２シャッタ部材を移動可能に支持する支持手段と、を有することを特徴とする。
【発明の効果】
【００１１】
現像剤を授受する排出口と受入口のそれぞれに設けられたシャッタ部材が互いに当接する面に弾性シール部材を設けなくても、開口時にシャッタ間からの現像剤漏れを抑制可能な画像形成装置を提供することである。
【図面の簡単な説明】
【００１２】
【図１】本発明の実施の形態を示す画像形成装置の断面図
【図２】画像形成装置から現像器の着脱方法を示す斜視図
【図３】現像剤補給装置および現像器の現像剤受渡し部の斜視図
【図４】現像剤補給装置および現像器の現像剤受渡し部の斜視断面図
【図５】現像器内部の斜視図
【図６】現像剤補給装置の斜視図
【図７】現像器挿脱に伴う遮蔽部材の開閉状態を表す側面図
【図８】現像器挿脱に伴う遮蔽部材の開閉状態を表す側面図
【発明を実施するための形態】
【００１３】
以下に図面を参照して、本発明の好適な実施の形態を例示的に詳しく説明する。但し、この実施の形態に記載されている構成部品の寸法、材質、形状、その相対配置などは、特に特定的な記載が無い限りは、この発明の範囲をそれらのみに限定する主旨のものではない。
【００１４】
『本体構成』
図１は本発明の実施の形態を示す画像形成装置１００の断面説明図を示している。
【００１５】
本説明は、電子写真方式の複数色またはフルカラーの画像形成装置として、各色毎に応じて像担持体１０４（ドラム型の電子写真感光体、以下感光体ドラムという）を水平に１列に配列している。そして、各感光体ドラム１０４上に形成された各色のトナー像を中間転写ベルト１０１に順次重ね合わせてカラー画像を形成する、いわゆるインライン型の画像形成装置となっている。
【００１６】
画像形成装置１００は、一定の間隔をおいて略水平な一直線上に配置されたプロセスカートリッジ１０３Ｙ、１０３Ｍ、１０３Ｃ、１０３Ｋを備えており、それぞれイエロー色、マゼンタ色、シアン色、ブラック色の画像を形成する。
【００１７】
各プロセスカートリッジ１０３には、感光体ドラム１０４が設置されており、その周囲には帯電装置１０９、現像装置としての現像器１０５、ドラムクリーナ装置１１２、転写手段としての一次転写ローラ１１４が配置されている。また、帯電装置１０９と現像器１０５との間の下方には、レーザー露光装置１０８が設置されている。
【００１８】
感光体ドラム１０４は負帯電のＯＰＣ感光体で、アルミニウム製のドラム基体上に光導電層を有しており、駆動装置（不図示）によって所定のプロセススピードで回転駆動される。
【００１９】
帯電装置１０９は、バイアス電源（不図示）から印加される帯電バイアスによって感光ドラム１０４の表面を負極性の所定電位に均一に帯電する。
【００２０】
現像器１０５は、現像剤を収容し、感光体ドラム１０４上に形成される静電潜像に各色の現像剤を付着させてトナー像として現像（可視像化）する。
【００２１】
一次転写手段としての転写ローラ１１４は、中間転写ベルトユニット１１５内に配設され、感光体ドラム１０４に対向付勢されるよう配置されている。
【００２２】
ドラムクリーナ装置１１２は、感光体ドラム１０４上で一次転写時の残留した転写残トナーを感光体ドラム１０４から除去するためのクリーニングブレード等を有しており、回収された廃トナーは廃トナー収納部１１３に回収される。なお、感光体ドラム１０４上の廃トナーをドラムクリーナ装置ではなく、中間転写ベルト１０１に転写させ、プロセスカートリッジ１０３内に廃トナーを回収しないものもある。
【００２３】
中間転写ベルトユニット１１５は、二次転写対向ローラを兼ねる駆動ローラ１１６と、不図示の駆動ローラ軸上のギアを備え、同じく不図示の本体上の駆動ギアにより回転駆動される。駆動ローラ１１６は、二次転写ローラ１１７と対向するよう配置されている。
【００２４】
なお、中間転写ベルトユニット１１５は転写フレーム１０２で保持されており、この転写フレーム内には感光体ドラム１０４で作成された像を中間転写ベルト１０１に転写するための高圧を供給する転写高圧電源１２７が内蔵されている。
【００２５】
また、二次転写ローラ１１７の転写材Ｐの搬送方向下流側には、定着ローラ１１８と加圧ローラ１１９を有する定着装置が縦パス構成で設置されている。
【００２６】
露光装置１０８は与えられる画像情報の時系列電気デジタル画素信号に対応した発光を行うレーザー発光装置で構成される。各感光体ドラム１０４に露光を行うことによって、各一次帯電器１０９で帯電された各感光体ドラム１０４の表面に画像情報に応じた各色の静電潜像を形成する。
【００２７】
次に、上記した画像形成装置による画像形成動作について説明する。
【００２８】
原稿読取装置１２０で原稿を読み取り、画像形成開始信号が発せられると、所定のプロセススピードで回転駆動される各プロセスカートリッジ１０３の各感光ドラム１０４は、それぞれ帯電装置１０９によって一様に負極性に帯電される。
【００２９】
その後、露光装置１０８は外部から入力されるカラー色分解された画像信号をレーザー発光素子から照射し、各感光体ドラム１０４上に各色の静電潜像を形成する。
【００３０】
次に、感光体ドラム１０４上に形成された静電潜像に、感光体ドラム１０４の帯電極性（負極性）と同極性の現像バイアスが印加された現像器１０５により、各色のトナーを付着させてトナー像として可視像化する。
【００３１】
このトナー像は、感光体ドラム１０４と一次転写バイアス（トナーと逆極性（正極性））が印加された一次転写ローラ１１４により、駆動されている中間転写ベルト１０１に一次転写される。
【００３２】
以下、同様にして中間転写ベルトユニット１１５でイエロー、マゼンタ、シアン、ブラックの各トナー像を順次重ね合わせ、フルカラーのトナー像を中間転写ベルトユニット１１５に形成する。
【００３３】
なお各感光体ドラム１０４上に残留した転写残トナーは、ドラムクリーナ装置１１２に設けられたクリーナブレード等により掻き落とされ回収される。
【００３４】
その後、中間転写ベルトユニット１１５上のフルカラートナー像先端が、転写駆動ローラ（二次転写対向ローラ）１１６と二次転写ローラ１１７間の二次転写部に移動される。このタイミングに合わせ、給紙カセット１２１または手差しトレイ１２２から給紙される転写材（用紙）Ｐが略垂直に形成された搬送パスを通り、レジストローラ１２３により二次転写部に搬送される。
【００３５】
二次転写部に搬送された転写材Ｐに二次転写バイアス（トナーと逆極性（正極性））が印加された二次転写ローラ１１７により、フルカラーのトナー像が一括して二次転写される。
【００３６】
その際、二次転写の残留トナーは転写クリーニング装置１０７で掻き落とされ、廃トナーとして搬送・回収される。
【００３７】
フルカラーのトナー像が形成された転写材Ｐは、下流に位置する定着装置に搬送され、定着ローラ１１８と加圧ローラ１１９との間の定着ニップ部で加熱、加圧される。転写材Ｐの表面にトナー像が熱定着された後、第一の排紙ローラ１２４によって本体上面の排紙トレイ１２５上に排出され、一連の画像形成動作を終了する。
【００３８】
なお、画像形成装置にはオプションとして、第一の排紙ローラ１２４の上方に追加の増設排紙装置１２６が内蔵できる構成となっている。
【００３９】
『プロセスカートリッジ着脱構成』
図２は画像形成装置１００からプロセスカートリッジ１０３を着脱する様子を示す斜視説明図である。
【００４０】
前記の各プロセスカートリッジ１０３は、それらを支持するカートリッジ枠１６０に保持されている。画像形成装置本体１００の作像部前面を覆う前扉１５２を開放した後、中間転写ベルトユニット１１５を上方へ移動させることで中間転写ベル１０１を前記感光体ドラム１０４から離間した状態で、カートリッジ枠１６０に一体に保持されて手前側に引き出される。
【００４１】
プロセスカートリッジ１０３は、それぞれカートリッジ枠１６０に設けられた位置決め溝に感光ドラム１０４を回転させる駆動軸の両端で支持され、各々の相対位置を位置決めする。カートリッジ枠を引き出した後、上方へ各々単独に着脱することができる。
【００４２】
また画像形成装置本体内にカートリッジ枠を装着した状態では、カートリッジ枠が画像形成装置本体に位置決めされ、さらに、感光ドラム１０４の前記駆動軸が駆動装置と連結する。
【００４３】
『現像剤補給構成』
プロセスカートリッジ１０３内に設けられた、静電潜像を現像する現像器１０５では、内部に収容した現像剤が消費されるため、現像剤の補給が必要となる。図３は画像形成装置本体１００に設けられた現像剤補給装置４００および現像器１０５の現像剤受渡し部の斜視説明図、図４はその断面図、図５は現像器１０５内部の斜視説明図、図６は現像剤補給装置の斜視説明図である。
【００４４】
内部に現像剤を収容する現像容器３０２は、感光ドラム１０４（不図示）に対向した現像領域の部分が開口しており、内部にマグネットが非回転に配置された現像ローラ３０３が回転可能に設置されている。現像ローラ３０３は非磁性材料で形成され、現像動作時には図５の矢印Ａ方向に回転し、現像容器３０２内の現像剤を層状に保持して現像領域に搬送し、現像領域で感光ドラム１０４に現像剤を供給し、感光ドラム上に形成されている静電潜像を現像する。潜像を現像した後の現像剤は、現像ローラ３０３の回転に従い、現像容器３０２内に回収される。
【００４５】
現像容器３０２内には、第１現像剤攪拌搬送スクリュー３０５（現像ローラ３０３に近い側）と、第２現像剤攪拌搬送スクリュー３０６（現像ローラ３０３から遠い側）が設置される。これらのスクリューによって現像剤が攪拌され、現像容器３０２内を搬送・循環される。図５では現像剤搬送方向は矢印Ｂおよび矢印Ｃ方向である。また、現像剤攪拌搬送スクリュー３０５、３０６の間には隔壁３０７が設けられ、現像剤の循環がスムーズに行なわれるように、隔壁３０７の奥側と手前側に現像剤受渡し用の開口部が設けられている。
【００４６】
一方、現像剤補給装置４００は、現像剤を収容する第１容器としてのバッファ容器４０１の最下部に補給スクリュー４０２を備える。（図３および図４）そして、図３のように、現像剤補給装置４００は、装着位置において、第２容器としての現像容器３０２にトナーを補給可能な構成となっている。
【００４７】
現像剤補給装置４００には、バッファ容器４０１から現像剤を排出可能な排出口４０３が設けられている。そして、排出口４０３を開閉可能なシャッタ部材としての排出口シャッタ４５０が備えられている。排出口シャッタ４５０には、スライド移動して排出口４０３を開放するための開口部としての穴４５０ａが開いている。
【００４８】
一方、現像容器３０２には、現像剤補給装置４００から補給されるトナーを受入れる受入口（以下、補給口とも呼ぶ）３０８が設けられている。補給口３０８は、現像容器３０２内の現像剤循環経路から外側に延長された第２現像剤攪拌搬送スクリュー３０６の上流部直上に設けられている。そして、この受入口３０８を開閉可能なシャッタ部材としての補給口シャッタ３５０を備えている。ここで、補給口シャッタ３５０にはスライド移動して補給口３０８を開放するための開口部としての穴３５０ａが開いている。本実施例では、現像容器３０２は、現像剤補給装置４００からトナーを補給される被補給装置として機能している。
【００４９】
図３および図４のように、現像器１０５が画像形成装置本体１００内に装着された状態では、各々のシャッタ３５０、４５０が対向して位置される。
【００５０】
そして、現像剤補給装置４００側の排出口４０３と現像器１０５側の補給口３０８が、各々のシャッタに設けられた穴３５０ａおよび４５０ａを通して連通される。そして、補給スクリュー４０２の回転によって、現像剤がバッファ容器４０１内から現像容器３０２へ供給される。
【００５１】
『シャッタ機構』
以下に、本発明における特徴的なシャッタ構成を説明する。
【００５２】
図７（ａ）は現像器１０５が画像形成装置本体１００から引き出された状態の側方からの説明図である。
【００５３】
この状態では、補給口シャッタ３５０がバネ３５１に押され、現像容器３０２に設けられた補給口３０８を遮蔽している。また装置本体側に固定された現像剤補給装置４００に設けられた排出口４０３においても、排出口シャッタ４５０がバネ４５１に押され遮蔽している。
【００５４】
次に図７（ｂ）は、同図（ａ）の状態から現像器１０５が画像形成装置本体１００に装着するように矢印Ｄ方向へ移動する過程を示す図である。図７（ｂ）では、各々のシャッタが補給口３０８および排出口４０３を遮蔽した状態で、図８（ａ）のＸ面で接触して一方が他方に当接し、互いに押し合うことでスライド移動を始める状態である。またこの状態でのシャッタ部分の拡大図を図８（ａ）に示す。
【００５５】
前述のように、補給口シャッタ３５０および排出口シャッタ４５１には穴３５０ａ、４５０ａが設けられている。そして、各々の穴を有する面３５０ｙおよび４５０ｙは現像器が着脱される際にスライドする方向（シャッタの開閉方向（矢印Ｄ方向））に対して傾斜している。さらに、スライド方向と補給口シャッタ側の面３５０ｙのなす角（勾配）ｂ［ｄｅｇ］は、スライド方向と排出口シャッタ側の面４５０ｙのなす角（勾配）ａ［ｄｅｇ］より大きく構成している。従って、図７（ｂ）の状態では補給口シャッタ側の面３５０ｙと排出口シャッタ側の面４５０ｙの間には隙間が存在する。
【００５６】
次に、図７（ｃ）は同図（ｂ）より更に図７（ｂ）の矢印Ｄ方向へ現像器１０５を移動し、画像形成装置本体１００へ装着された状態の側面図である。またこの状態でのシャッタ部分の拡大図を図８（ｂ）に示す。
【００５７】
この状態では、排出口シャッタ４５０と補給口シャッタ３５０が互いの付勢バネの付勢力に抗して押し合うことにより、排出口シャッタ４５０に設けられた穴４５０ａがバッファ容器４０１に設けられた排出口４０３と一致する位置まで移動する。同様に補給口シャッタ３５０はその穴３５０ａと現像容器３０２の補給口３０８が一致する位置まで移動する。（図４）
補給口シャッタ３５０のうち排出口シャッタ４５０と対向する面と逆側から、補給口シャッタ３５０を接触するように弾性部材３０９が設けられている。補給口シャッタ３５０は、弾性部材３０９上にスライド可能に支持されている。このとき、補給口シャッタ３５０は排出口シャッタ４５０が押す力と付勢バネ３５１の付勢力が作用することにより、図８（ｂ）の矢印Ｅ方向に回転して現像容器３０２側に沈み込む。これにより現像容器３０２と補給口シャッタの間に設けられた弾性部材３０９が圧縮・変形され、その復元力で補給口シャッタ３５０が排出口シャッタ４５０にＹ面で押し付けられる。即ち、排出口シャッタ４５０（第１シャッタ部材）と補給口シャッタ３５０（第２シャッタ部材）の対向面が互いに倣うように補給口シャッタ３５０が移動可能に支持されている。ここで、弾性部材３０９は、排出口シャッタ４５０（第１シャッタ部材）と補給口シャッタ３５０（第２シャッタ部材）の対向面が互いに倣うように補給口シャッタ３５０が移動可能に支持する支持手段である。
【００５８】
従って、バッファ容器４０１の排出口４０３と現像容器３０２の補給口３０８が各々のシャッタに設けられた穴を通して連通した際にも、現像剤がシャッタ間から漏れることを抑制する。
【００５９】
また、現像器１０５を画像形成装置本体１００から取り出す際も、補給口シャッタ３５０と排出口シャッタ４５０が図８（ｂ）のＹ面で密着したまま、現像器１０５のスライド移動に合せて補給口３０８および排出口４０３が徐々に閉じられる。その後摺擦することなく離間するため、削れを防止できる。
【００６０】
このように、シャッタ部材間の密着性を高める為の弾性部材３０９を現像器とシャッタ部材の間に設ける構成のため、補給装置側の排出口シャッタ３５０は弾性部材に突き当たる前に補給口シャッタ３５０に突き当たる。このため、弾性部材３０９が排出口シャッタ３５０の開閉動作によってめくれてしまうことを抑制できる。
【００６１】
なお、以上の構成では、下側に位置する補給口シャッタ３５０が弾性部材３０９を圧縮・変形して排出口シャッタ４５０に押し付けられる場合について述べたが、これを上下逆にした場合でも同様の効果が得られる。
【００６２】
即ち、排出口シャッタ４５０とバッファ容器４０１との間に弾性部材を設け、現像器１０５着脱時のスライド方向と排出口シャッタ側の面４５０ｙのなす角ａ［ｄｅｇ］を、スライド方向と補給口シャッタ側の面３５０ｙのなす角ｂ［ｄｅｇ］より大きくする。こうすることで、弾性部材の復元力で排出口シャッタ４５０が補給口シャッタ３５０にＹ面で押し付けられる構成とすればよい。
【００６３】
また、上記では画像形成装置本体１００に固定された現像剤補給装置４００と、現像器１０５の間で現像剤授受を行う部分に設けられたシャッタ機構を例に述べたがこれに限らない。例えば、現像剤を現像材補給装置４００へ供給する手段として、画像形成装置から着脱可能に設けたトナーカートリッジを用いる画像形成装置にも適用することができる。即ち、同様のシャッタ機構をトナーカートリッジと現像剤補給装置との間で現像剤授受を行う部分に設けることで、同様の効果を得ることができる。
【符号の説明】
【００６４】
１０４  像担持体
１０５  現像器
３０２  現像容器
３０３  現像ローラ
３０５  第１現像剤攪拌搬送スクリュー
３０６  第２現像剤攪拌搬送スクリュー
３０７  隔壁
３０８  補給口
３０９  弾性部材
３５０  補給口シャッタ
４００  現像剤補給装置
４０３  現像剤排出口
４５０  排出口シャッタ
【図１】
2010237259.tif 000003
【図２】
2010237259.tif 000004
【図３】
2010237259.tif 000005
【図４】
2010237259.tif 000006
【図５】
2010237259.tif 000007
【図６】
2010237259.tif 000008
【図７】
2010237259.tif 000009
【図８】
2010237259.tif 000010